(57)【要約】【課題】  一つのウエブサイトにアクセスしたクライアントを他のウエブサイトに誘導するシステムを提供する。【解決手段】  ホストサイトＨから所望の景品ケースＢをオペレータサイトＯにレンタルすると共に、ホームページＨにそのサイトＯへの勧誘記事を表示し、  オペレータサイトＯのホームページＯに、景品ケースＢのアイコンを配置し、  景品ケースＢの中に、予め定められたプログラムに従って、景品サプライヤＳのサイトＳから提供する所定数の景品Ｇを補充しておき、  クライアントＣがホストサイトＨにアクセスし、ホームページＨに表示された勧誘記事中のアイコンＯを選択したときは、オペレータサイトＯのホームページＯを開き、表示されたアイコンＢが選択されたときは、  景品ケースＢを開かせ、その内部に景品Ｇが存在するときは、その景品をクライアントＣに交付する。【選択図】図１
2009093272.tif 000002
【特許請求の範囲】
【請求項１】
ホストオペレータＨが運営する、複数のレンタル用景品ケースＢ１、Ｂ２、Ｂ３、・・・・ＢＶ〔以下、これらの総てをレンタル用景品ケースＢと表示し、その中の特定のレンタル用景品ケースをレンタル用景品ケースＢＰ（但し、Ｐは１以上、Ｖ以下の正の整数）と表示する。〕を保有、管理する、ホストサイトＨと、
上記レンタル用景品ケースＢと同数以下の、オペレータＯ１、Ｏ２、Ｏ３・・・・ＯＷ〔以下、これらの総てをオペレータＯと表示し、その中の特定のオペレータをオペレータＯＱ（但し、Ｑは１以上、Ｖ以下の正の整数、Ｖ≦Ｕ）と表示する。〕がそれぞれ運用するオペレータサイトＯ１、Ｏ２、Ｏ３・・・・ＯＶ〔以下、これらの総てをオペレータサイトＯと表示し、その中の特定のオペレータサイトをオペレータサイトＯＱ（但し、Ｑは１以上、Ｗ以下の正の整数）と表示する。〕と、
それぞれオペレータサイトＯＱの保有するレンタル用景品ケースＢＰに供給すべき景品Ｇ１、Ｇ２、Ｇ３・・・・ＧＸ（以下これらの総てを景品Ｇと表示し、その中の特定の景品をＧＲ（但し、Ｒは１以上、Ｘ以下の正の整数）と表示する。）を選択的に保有し、上記レンタル用景品ケースＢＰに供給する、複数の景品サプライヤＳ１、Ｓ２、Ｓ３・・・・ＳＹ〔以下、これらの総てを景品サプライヤＳと表示し、その中の特定の景品サプライヤを景品サプライヤＳＴ（但し、Ｔは１以上、Ｙ以下の正の整数）と表示する。〕が運営する、景品サプライサイトＳ２、Ｓ２、Ｓ３・・・・ＳＹ〔以下、これらの総てを景品サプライサイトＳと表示し、その中の特定の景品サプライサイトを景品サプライサイトＳＴ（但し、Ｔは１以上、Ｙ以下の正の整数）と表示する。〕と、
ホストサイトＨにアクセスでき、そのホームページの表示に従って、所望のオペレータサイトＯＱにサーフし、そのホームページに表示されたレンタル用景品ケースＢＰ内の景品ＧＲを取得し得る、多数のクライアントＣ１、Ｃ２、Ｃ３、・・・・ＣＺ〔以下、これらの総てをクライアントＣと表示し、その中の特定のクライアントをクライアントＣＵ（但し、Ｕは１以上、Ｚ以下の正の整数）と表示する。〕用の端末Ｃ１、Ｃ２、Ｃ３、・・・・ＣＺ（以下、これらの総てを端末Ｃと表示し、その中の特定の端末を端末ＣＵ（但し、Ｕは１以上、Ｚ以下の正の整数）と表示する。）と、
から成るウエブサイト誘導システム。
【請求項２】
請求項1に記載のウエブサイト誘導システムにおいて、
ホストサイトＨには、景品ケース管理メモリＢＭが設けられ、
その景品ケース管理メモリＢＭには、
少なくともオペレータサイトＯと同数のレンタル用景品ケースＢのそれぞれの識別コードと、それぞれの画像を表示するため必要な画像データと、レンタル用景品ケースＢのそれぞれに収容されている景品の在庫データと、景品サプライヤＳのデータが記録される景品在庫管理メモリＧＭ と、
全クライアントＣの口座Ｃと、クライアントＣに引き渡された景品Ｇの品名、数量を口座Ｃごとに記録する景品出庫管理メモリＣＭと、
クライアントＣの口座Ｃごとに、請求金額及び入金額を記録する売掛管理メモリＡＭとが設けられ、
ホストサイトＨのＣＰＵには、
（１）レンタル用景品ケースＢＰが、オペレータサイトＯＱにレンタルされるとき起動、実行されるプログラムであって、下記a項ないしｊ項記載のステップ（Ｓ−１）ないし（Ｓ−１０）、即ち、
ａ）景品ケース管理メモリＢＭに、レンタル用景品ケースＢＰの識別コードＢＰを入力するステップ（Ｓ−１）。
ｂ）景品ケース管理メモリＢＭに、上記レンタル用景品ケースＢＰの識別コードＢＰに対応させて、オペレータサイトＯＱの識別コードＯＱ及び取引条件を入力するステップ（Ｓ−２）。
ｃ）景品在庫管理メモリＧＭに、上記レンタル用景品ケースＢＰの識別コードＢＰに対応させて、レンタル用景品ケースＢＰに最初に入庫すべき景品ＧＰの品名及び数量並びにその景品のサプライヤＳＰの識別コードＳＰを入力するステップ（Ｓ−３）。
ｄ）景品ケース管理メモリＢＭに、レンタル用景品ケースＢＰに在庫する景品ＧＰの品名別在庫数量を繰り返しチェックする時期Ｔに関する情報を入力するステップ（Ｓ−４）。
ｅ）景品在庫管理メモリＧＭに、レンタル用景品ケースＢＰの在庫量の品名別最低限界数量Ｑｍｉｎを入力するステップ（Ｓ−５）。
ｆ）景品在庫管理メモリＭに、レンタル用景品ケースＢＰの景品在庫中の景品ＢＰがその最低限界数量Ｑｍｉｎ以下となったとき補充すべき景品ＧＰの数量Ｑ＋に関する情報を記録するステップ（Ｓ−６）。
ｇ）上記各項により入力された情報を、所定の景品サプライサイトＳＴにダウンロードするステップ（Ｓ−７）。
ｈ）指定された景品ケースＢＰを表示するアイコンＢＰを指定されたオペレータサイトＯＱのホームページに表示させるため必要な情報を、指定されたオペレータサイトＯＱにダウンロードするステップ（Ｓ−８）。
ｉ）オペレータサイトＯＱにリンクを張るステップ（Ｓ−９）。
ｊ）オペレータサイトＯＱにサーフするためのアイコン情報ＯＱを含む、そのオペレータサイトＯＱへのアクセス勧誘用画像情報ＯＱを入力し、その自己のホームページに、当該画像ＯＱを他のオペレータサイトＯのためのアクセス勧誘用画像情報Ｏに加えて表示するステップ（Ｓ−１０）。
から成る契約管理プログラム。
（２）ホストサイトＨが、クライアントＣＵからのアクセスを受けたとき起動され実行されるプログラムであって、下記ｋ項ないしｐ項記載のステップ（Ｓ−１１）ないし（Ｓ−１２）、即ち、
ｋ）クライアントＣＵの端末ＣＵのディスプレイＣＵに、オペレータサイトＯへのアクセス勧誘画像情報Ｏに基づいてアクセス勧誘画像Ｏを含む、ホストサイトＨのホームページを表示するステップ（Ｓ−１３）。
ｌ）クライアントＣＵが、表示されたアクセス勧誘画像Ｏ中の、オペレータサイトＯＱのアイコンＯＱを選択したとき、クライアントＣＱの端末ＣＱのディスプレイＣＱに、景品ケースＢＰを表示するアイコンＢＰを含むオペレータサイトＯＱのホームページＯＱを表示するステップ（Ｓ−１４）。  
ｍ）クライアントＣＵが、ホームページＯＱに表示された景品ケースＢＰを表示するアイコンＢＰを選択したとき、景品ケースＢＰに収容された景品ＧＲの情報を端末ＣＵのディスプレイＣＵに開示するステップ（Ｓ−１５）。
ｎ）クライアントＣＵが、開示された景品ＧＲの中から少なくとも一つの景品Ｇｒ（以下、ｒは1以上の正の整数。）を選択したとき、景品Ｇｒに関する情報を、クライアントＣＵの端末ＣＵにダウンロードするステップ（Ｓ−１６）。
ｏ）前項のステップ（Ｓ−１６）でクライアントＣＵに選択された景品Ｇｒの情報を景品在庫管理メモリＧＭの記録から抹消するステップ（Ｓ−１７）。
ｐ）前々項のステップ（Ｓ−１６）でクライアントＣＵに選択された景品Ｇｒの情報を景品出庫管理メモリＣＭのクライアントＣＵの口座ＣＵに記録するステップ（Ｓ−１７）。
から成る運用管理プログラムと、
（３）予め定められた締切日が到来する都度起動され実行されるプログラムであって、下記ｑ項及びｒ項に記載のステップ（Ｓ−１８）〜（Ｓ−１９）、即ち、
ｑ）景品出庫管理メモリＣＭに記録されたクライアントＣに対する出庫記録に基づき、クライアントＣごとの請求書を作成、発行すると共に、売掛管理メモリＡＭに記録するステップ（Ｓ−１８）。
ｒ）クライアントＣから入金があったとき、売掛管理メモリＡＭに記録するステップ（Ｓ−１９）。
から成る課金管理プログラムと、
がインストールされていることを特徴とするウエブサイト誘導システム。
【請求項３】
ホストサイトＨが、景品サプライサイトＳＭを包含するゲームサイトであり、景品ＧＲが、ホストサイトＨで提供されるゲームで用い得るアイテムである、請求項1又は２に記載のウエブサイト誘導システム。
【請求項４】
オペレータサイトＯＱが、景品サプライサイトＳＱを包含する、請求項１ないし３の何れか一に記載のウエブサイト誘導システム。
【請求項５】
景品Ｇが、電子マネーである、請求項1ないし４の何れか一に記載のウエブサイト誘導システム。
【発明の詳細な説明】
【技術分野】
【０００１】
本発明は、一つのウエブサイトのビジターを他のウエブサイトに誘導するシステムに関する。
【背景技術】
【０００２】
今日では非常に多数のウエブサイトが運用されており、各サイトは何れもビジターを惹きつけるため様々な工夫を凝らしている。
例えば、多くのサイトでは、様々な関連サイトにリンクを張り、各サイトのアトラクティブネスの相乗効果を利用して、相互の集客力を高める試みがなされている。
それは、ビジターが多いほどアナウンス効果が大きく、広告収入、販売収入が飛躍的に増大するためである。
【０００３】
然しながら、中には、単に検索されやすいキーワードを無意味に使用したりするような、いわばビジターにとって無益、有害なもの集客方法を取るものも多い。
このような方法では、サイトにとって真に有益なビジター又はクラアエントを集めることはできない
【０００４】
関連性のあるサイトにリンクを張る方法では、サイトの関連性に依存しているので、全く関連のない分野のクライアントを誘引することができないという問題がある。
一方、サイトの中には、例えばゲームサイトのように、多数のクライアントが活発にアクセスを繰り返す活性の高いサイトがある。
このような活性の高いサイトＡのビジターを、他の有用なサイトＢに誘導し、その内容を紹介することができれば、例えば、サイトＡは紹介収入を得ることができ、サイトＢは知名度と収益力を高めることができるので、双方のサイトにとって極めて有益である。
然しながら、そのような提案はなされていない。
【特許文献１】該当なし
【非特許文献１】該当なし
【発明の開示】
【発明が解決しようとする課題】
【０００５】
本発明が解決しようとする課題は、限定はされないが、特にゲームサイトのような活性度の高いウエブサイトのビジターに、ゲーム感覚で、ゲームとは全く関係がないか、又は関連性の薄い他のウエブサイトに気軽にアクセスさせ、新たなサイトを認知させることができる、新規なビジター誘引方法若しくはウエブサイト誘導システムを提供することにある。
【課題を解決するための手段】
【０００６】
叙上の課題は、
ホストオペレータＨが運営する、複数のレンタル用景品ケースＢ１、Ｂ２、Ｂ３、・・・・ＢＶ〔以下、これらの総てをレンタル用景品ケースＢと表示し、その中の特定のレンタル用景品ケースをレンタル用景品ケースＢＰ（但し、Ｐは１以上、Ｖ以下の正の整数）と表示する。〕を保有、管理する、ホストサイトＨと、
上記レンタル用景品ケースＢと同数以下の、オペレータＯ１、Ｏ２、Ｏ３・・・・ＯＷ〔以下、これらの総てをオペレータＯと表示し、その中の特定のオペレータをオペレータＯＱ（但し、Ｑは１以上、Ｖ以下の正の整数、Ｖ≦Ｕ）と表示する。〕がそれぞれ運用するオペレータサイトＯ１、Ｏ２、Ｏ３・・・・ＯＶ〔以下、これらの総てをオペレータサイトＯと表示し、その中の特定のオペレータサイトをオペレータサイトＯＱ（但し、Ｑは１以上、Ｗ以下の正の整数）と表示する。〕と、
それぞれオペレータサイトＯＱの保有するレンタル用景品ケースＢＰに供給すべき景品Ｇ１、Ｇ２、Ｇ３・・・・ＧＸ（以下これらの総てを景品Ｇと表示し、その中の特定の景品をＧＲ（但し、Ｒは１以上、Ｘ以下の正の整数）と表示する。）を選択的に保有し、上記レンタル用景品ケースＢＰに供給する、複数の景品サプライヤＳ１、Ｓ２、Ｓ３・・・・ＳＹ〔以下、これらの総てを景品サプライヤＳと表示し、その中の特定の景品サプライヤを景品サプライヤＳＴ（但し、Ｔは１以上、Ｙ以下の正の整数）と表示する。〕が運営する、景品サプライサイトＳ1、Ｓ２、Ｓ３・・・・ＳＹ〔以下、これらの総てを景品サプライサイトＳと表示し、その中の特定の景品サプライサイトを景品サプライサイトＳＴ（但し、Ｔは１以上、Ｙ以下の正の整数）と表示する。〕と、
ホストサイトＨにアクセスでき、そのホームページの表示に従って、所望のオペレータサイトＯＱにサーフし、そのホームページに表示されたレンタル用景品ケースＢＰ内の景品ＧＲを取得し得る、多数のクライアントＣ１、Ｃ２、Ｃ３、・・・・ＣＺ〔以下、これらの総てをクライアントＣと表示し、その中の特定のクライアントをクライアントＣＵ（但し、Ｕは１以上、Ｚ以下の正の整数）と表示する。〕用の端末Ｃ１、Ｃ２、Ｃ３、・・・・ＣＺ（以下、これらの総てを端末Ｃと表示し、その中の特定の端末を端末ＣＵ（但し、Ｕは１以上、Ｚ以下の正の整数）と表示する。）と、
から成るウエブサイト誘導システムによって達成される。
【０００７】
本発明の目的は、更に、
上記のウエブサイト誘導方法において、
ホストサイトＨには、景品ケース管理メモリＢＭが設けられ、
その景品ケース管理メモリＢＭには、
少なくともオペレータサイトＯと同数のレンタル用景品ケースＢのそれぞれの識別コードと、それぞれの画像を表示するため必要な画像データと、レンタル用景品ケースＢのそれぞれに収容されている景品の在庫データと、景品サプライヤＳのデータが記録される景品在庫管理メモリＧＭ と、
全クライアントＣの口座Ｃと、クライアントＣに引き渡された景品Ｇの品名、数量を口座Ｃごとに記録する景品出庫管理メモリＣＭと、
クライアントＣの口座Ｃごとに、請求金額及び入金額を記録する売掛管理メモリＡＭとが設けられ、
ホストサイトＨのＣＰＵには、
（１）レンタル用景品ケースＢＰが、オペレータサイトＯＱにレンタルされるとき起動、実行されるプログラムであって、下記a項ないしｊ項記載のステップ（Ｓ−１）ないし（Ｓ−１０）、即ち、
ａ）景品ケース管理メモリＢＭに、レンタル用景品ケースＢＰの識別コードＢＰを入力するステップ（Ｓ−１）。
ｂ）景品ケース管理メモリＢＭに、上記レンタル用景品ケースＢＰの識別コードＢＰに対応させて、オペレータサイトＯＱの識別コードＯＱ及び取引条件を入力するステップ（Ｓ−２）。
ｃ）景品在庫管理メモリＧＭに、上記レンタル用景品ケースＢＰの識別コードＢＰに対応させて、レンタル用景品ケースＢＰに最初に入庫すべき景品ＧＰの品名及び数量並びにその景品のサプライヤＳＰの識別コードＳＰを入力するステップ（Ｓ−３）。
ｄ）景品ケース管理メモリＢＭに、レンタル用景品ケースＢＰに在庫する景品ＧＰの品名別在庫数量を繰り返しチェックする時期Ｔに関する情報を入力するステップ（Ｓ−４）。
ｅ）景品在庫管理メモリＧＭに、レンタル用景品ケースＢＰの在庫量の品名別最低限界数量Ｑｍｉｎを入力するステップ（Ｓ−５）。
ｆ）景品在庫管理メモリＭに、レンタル用景品ケースＢＰの景品在庫中の景品ＢＰがその最低限界数量Ｑｍｉｎ以下となったとき補充すべき景品ＧＰの数量Ｑ＋に関する情報を記録するステップ（Ｓ−６）。
ｇ）上記各項により入力された情報を、所定の景品サプライサイトＳＴにダウンロードするステップ（Ｓ−７）。
ｈ）指定された景品ケースＢＰを表示するアイコンＢＰを指定されたオペレータサイトＯＱのホームページに表示させるため必要な情報を、指定されたオペレータサイトＯＱにダウンロードするステップ（Ｓ−８）。
ｉ）オペレータサイトＯＱにリンクを張るステップ（Ｓ−９）。
ｊ）オペレータサイトＯＱにサーフするためのアイコン情報ＯＱを含む、そのオペレータサイトＯＱへのアクセス勧誘用画像情報ＯＱを入力し、その自己のホームページに、当該画像ＯＱを他のオペレータサイトＯのためのアクセス勧誘用画像情報Ｏに加えて表示するステップ（Ｓ−１０）。
から成る契約管理プログラム。
（２）ホストサイトＨが、クライアントＣＵからのアクセスを受けたとき起動され実行されるプログラムであって、下記ｋ項ないしｐ項記載のステップ（Ｓ−１１）ないし（Ｓ−１２）、即ち、
ｋ）クライアントＣＵの端末ＣＵのディスプレイＣＵに、オペレータサイトＯへのアクセス勧誘画像情報Ｏに基づいてアクセス勧誘画像Ｏを含む、ホストサイトＨのホームページを表示するステップ（Ｓ−１３）。
ｌ）クライアントＣＵが、表示されたアクセス勧誘画像Ｏ中の、オペレータサイトＯＱのアイコンＯＱを選択したとき、クライアントＣＱの端末ＣＱのディスプレイＣＱに、景品ケースＢＰを表示するアイコンＢＰを含むオペレータサイトＯＱのホームページＯＱを表示するステップ（Ｓ−１４）。  
ｍ）クライアントＣＵが、ホームページＯＱに表示された景品ケースＢＰを表示するアイコンＢＰを選択したとき、景品ケースＢＰに収容された景品ＧＲの情報を端末ＣＵのディスプレイＣＵに開示するステップ（Ｓ−１５）。
ｎ）クライアントＣＵが、開示された景品ＧＲの中から少なくとも一つの景品Ｇｒ（以下、ｒは1以上の正の整数。）を選択したとき、景品Ｇｒに関する情報を、クライアントＣＵの端末ＣＵにダウンロードするステップ（Ｓ−１６）。
ｏ）前項のステップ（Ｓ−１６）でクライアントＣＵに選択された景品Ｇｒの情報を景品在庫管理メモリＧＭの記録から抹消するステップ（Ｓ−１７）。
ｐ）前々項のステップ（Ｓ−１６）でクライアントＣＵに選択された景品Ｇｒの情報を景品出庫管理メモリＣＭのクライアントＣＵの口座ＣＵに記録するステップ（Ｓ−１７）。
から成る運用管理プログラムと、
（３）予め定められた締切日が到来する都度起動され実行されるプログラムであって、下記ｑ項及びｒ項に記載のステップ（Ｓ−１８）〜（Ｓ−１９）、即ち、
ｑ）景品出庫管理メモリＣＭに記録されたクライアントＣに対する出庫記録に基づき、クライアントＣごとの請求書を作成、発行すると共に、売掛管理メモリに記録するステップ（Ｓ−１８）。
ｒ）クライアントＣから入金があったとき、売掛管理メモリＡＭに記録するステップ（Ｓ−１９）。
から成る課金管理プログラムと、
がインストールされていることを特徴とするウエブサイト誘導システム、
によって更に好適に達成される。
【０００８】
望ましい一実施例においては、ホストサイトＨは、景品サプライサイトＳＭを包含することが可能である。そのような実施例において、ゲームサイトがホストサイトＨとして好適であり、このような場合には、景品ＧＲとして、ホストサイトＨで提供されるゲームで用い得るアイテムが採用される。
【０００９】
又、オペレータサイトＯＱが、景品サプライサイトＳＱを包含することも可能である。
ホストサイトＨ，景品サプライサイトＳＴ又はオペレータサイトＯＱのいずれかが発行する電子マネーも景品として好適であり、又、短い動画や音楽、音声、ゲーム、カラオケ情報、壁紙などのデータも景品Ｇとすることができる。この場合、景品Ｇは、当該オペレータＯＱのパソコン又は携帯電話などの端末ＯＱにダウンロードされる。
【００１０】
景品Ｇは、例えば、チケット、割引クーポン、商品の試供品などのハードウエアであっても良い。
この場合は、当該オペレータＯＱの端末画面にアプリケーションフォームが表示され、オペレータＯＱが所定の事項を入力し、リクエストすると、後日景品Ｇが託送される。
【発明の効果】
【００１１】
本発明は叙上の如く構成されるから、本発明によるときは、オペレータＯＱが最初にアクセスしたウエブサイトとは全く無縁なサイトに新規なオペレータＯＱを誘引することができる効果的な誘導方法を提供することが出来る。
又オペレータＯＱにとっても、ゲーム感覚で、全く予期しない新しいサイトに接することができ、新たな知識、経験を得ることができるものである。
【発明を実施するための最良の形態】
【００１２】
以下、図面により本発明の一実施例を説明する。
図１は本発明に係るシステムの構成を示す説明図、図２はオペレータＯＱの端末ＯＱの画面変遷を示す説明図、図３は契約管理プログラムの一例を示すフローチャート、図４は、運用管理プログラムの一例を示すフローチャート、図５は売掛管理プログラムの一例を示すフローチャートである。
【実施例】
【００１３】
本発明に係るシステムは、
ホストオペレータＨが運営する、複数のレンタル用景品ケースＢ１、Ｂ２、Ｂ３、・・・・ＢＶ〔以下、これらの総てをレンタル用景品ケースＢと表示し、その中の特定のレンタル用景品ケースをレンタル用景品ケースＢＰ（但し、Ｐは１以上、Ｖ以下の正の整数）と表示する。〕を保有、管理する、ホストサイトＨ。
上記レンタル用景品ケースＢと同数以下の、オペレータＯ１、Ｏ２、Ｏ３・・・・ＯＷ〔以下、これらの総てをオペレータＯと表示し、その中の特定のオペレータをオペレータＯＱ（但し、Ｑは１以上、Ｖ以下の正の整数、Ｖ≦Ｕ）と表示する。〕がそれぞれ運用するオペレータサイトＯ１、Ｏ２、Ｏ３・・・・ＯＶ〔以下、これらの総てをオペレータサイトＯと表示し、その中の特定のオペレータサイトをオペレータサイトＯＱ（但し、Ｑは１以上、Ｗ以下の正の整数）と表示する。〕。
３）  上記レンタル用景品ケースＢと同数以下の、オペレータＯ１、Ｏ２、Ｏ３・・・・ＯＷ〔以下、これらの総てをオペレータＯと表示し、その中の特定のオペレータをオペレータＯＱ（但し、Ｑは１以上、Ｖ以下の正の整数、Ｖ≦Ｕ）と表示する。〕がそれぞれ運用するオペレータサイトＯ１、Ｏ２、Ｏ３・・・・ＯＶ〔以下、これらの総てをオペレータサイトＯと表示し、その中の特定のオペレータサイトをオペレータサイトＯＱ（但し、Ｑは１以上、Ｗ以下の正の整数）と表示する。〕。
それぞれオペレータサイトＯＱの保有するレンタル用景品ケースＢＰに供給すべき景品Ｇ１、Ｇ２、Ｇ３・・・・ＧＸ（以下これらの総てを景品Ｇと表示し、その中の特定の景品をＧＲ（但し、Ｒは１以上、Ｘ以下の正の整数）と表示する。）を選択的に保有し、上記レンタル用景品ケースＢＰに供給する、複数の景品サプライヤＳ１、Ｓ２、Ｓ３・・・・ＳＹ〔以下、これらの総てを景品サプライヤＳと表示し、その中の特定の景品サプライヤを景品サプライヤＳＴ（但し、Ｔは１以上、Ｙ以下の正の整数）と表示する。〕が運営する、景品サプライサイトＳ２、Ｓ２、Ｓ３・・・・ＳＹ〔以下、これらの総てを景品サプライサイトＳと表示し、その中の特定の景品サプライサイトを景品サプライサイトＳＴ（但し、Ｔは１以上、Ｙ以下の正の整数）と表示する。〕。
ホストサイトＨにアクセスでき、そのホームページの表示に従って、所望のオペレータサイトＯＱにサーフし、そのホームページに表示されたレンタル用景品ケースＢＰ内の景品ＧＲを取得し得る、多数のクライアントＣ１、Ｃ２、Ｃ３、・・・・ＣＺ〔以下、これらの総てをクライアントＣと表示し、その中の特定のクライアントをクライアントＣＵ（但し、Ｕは１以上、Ｚ以下の正の整数）と表示する。〕用の端末Ｃ１、Ｃ２、Ｃ３、・・・・ＣＺ（以下、これらの総てを端末Ｃと表示し、その中の特定の端末を端末ＣＵ（但し、Ｕは１以上、Ｚ以下の正の整数）と表示する。）。
から成る。
【００１４】
図１は、本発明システムの構成を示す説明図、
図２は、クライアントＣＵの端末ＣＵの画面変遷を示す説明図、
図３は、契約管理プログラムを実行するときのフローチャートの一例を示す図、
図４は、運用管理プログラムを実行するときのフローチャートの一例を示す図、
図５は、課金管理プログラムを実行するときのフローチャートの一例を示す図である。
【００１５】
図１において、１はホストオペレータＨが運営するホストサイトＨ、２−1、２−２、２−３、２−４及び２−５はそれぞれオペレータＯが運営するオペレータサイトＯの一部、３−１は景品サプライヤＳが運営する景品サプライサイトＳの一部、４−１，４−２、４−３、４−４、４−５、４−６、４−７、４−８及び４−９はそれぞれホストサイトＨのクライアントＣの端末Ｃの一部、５−１、５−２、５−３及び５−４はそれぞれ景品Ｇの一部を示すものであり、６はインターネット通信網である。
【００１６】
ここの説明では図を簡略とするため、オペレータサイトを５サイト、景品サプライサイトを１サイト、クライアントの端末を９台、景品を４種類のみとして示したが、実際には、これらは何れも相当多数存在するものである。
オペレータサイトＯは、実際には数百乃至数万サイト存在するが、ここではオペレータサイトＯ１，Ｏ２、Ｏ３、Ｏ４及びＯ５のみが示されている。
【００１７】
景品サプライサイトＳも、実際には数十乃至数万サイト存在する。これも、ここでは、景品サプライサイトＳ１のみが示されている。
クライアントの端末Ｃは、数十万乃至数百万存在する。これらも、端末Ｃ１、Ｃ２、Ｃ３、・・・Ｃ９のみが示されている。
【００１８】
オペレータサイトは、公知の様々なサイトであるが、ここに示されたオペレータサイトＯ１（２−１）、Ｏ２（２−２）、Ｏ３（２−３）及びＯ４（２−４）にはそれぞれホストＨ（１）との契約に基づいて、景品ケースＢ４、Ｂ１、Ｂ３及びＢ５がレンタルされており、それらのホームページにはレンタルされた景品ケースを示すアイコンＢ４（１−４）、Ｂ１（１−１）、Ｂ３（１−３）、Ｂ５（１−５）が表示されている。
【００１９】
これらのレンタル用景品ケースＢ４、Ｂ１、Ｂ３、Ｂ５には、ホストＨ及び景品サプライヤＳ１との契約に基づいて、それぞれ少なくとも一種の景品ＧＲ、例えばＧ４、Ｇ１、Ｇ３、Ｇ４が収納されている。
本システムは、ホストサイトＨのクライアントＣを、オペレータサイトＯに誘致するため構築されるものである。
【００２０】
ホストサイトＨには、このシステムの構築、維持、運営に必要な総てのデータ、即ち、他の総てのサイト、即ち、総てのオペレータサイトＯ及び景品Ｇのデータを含む、景品サプライサイトＳに関するデータが記録されており、更に必要に応じて、総てのクライアントＣに関するデータが記録される。
【００２１】
ホストサイトＨは、例えば不特定多数のクライアントＣが頻繁にアクセスを繰り返すオンラインゲームサイトであり、これには、オンラインゲームに関するデータの外、レンタル用景品ケースＢに関するデータ及び景品Ｇに関するデータが記録されている。
【００２２】
又、ホストサイトのホームページＨには、図２（Ａ）に示されているようにオペレータサイトＯに導くアイコン○（２−１）、▽（２−２）、◎（２−３）、△（２−４）、＊（２−５）、＃（２−６）と、それぞれ対応するオペレータサイトＯの紹介記事、得られる景品に関する記事などの釣書（２−１０）、（２−２０）、（２−３０）、（２−４０）、（２−５０）、（２−６０）が表示されている。
【００２３】
オンラインゲームをプレイするためホストサイトＨ（１）にアクセスしたクライアントＣＵは、ホームページＨの釣書を見て、これらのオペレータサイトＯの何れか一つＯＱ又は得られる景品ＧＲに興味をそそられたときは、その端末ＣＵに適合する方法、例えば当該アイコンをクリックする方法などにより、当該アイコンを選択し、そのオペレータサイトＯＧにサーフする。
【００２４】
今、クライアントＣ１が、オペレータサイトＯ３に惹かれ、アイコン◎（２−３）を選択したとする。
然るときは、クライアントＣ１の端末Ｃ１（４−１）のディスプレイ画面には、図２（Ｂ）のようにオペレータサイトＯ３のホームページＯ３が表示される。
この画面には、通常のホームページの表示事項に加えて、ホストＨからレンタルされた景品ケースＢ３（１−３）を示すアイコンＢ３（１−３）が示される。
【００２５】
クライアントＣ１が、このアイコンＢ３（１−３）を選択すると、景品ケースＢ３（１−３）が開かれる演出が行なわれ、画面は図２（Ｃ）のように換わり、景品ケースＢ３（１−３）に収容されている景品Ｇ３及びＧＲが表示される。
クライアントＣ１が、何れかの景品、例えば景品Ｇ３を選択すると、端末Ｃ１の画面は（Ｄ）のように換わり、景品Ｇ３の画像（５−３）が表示される。
【００２６】
ホストサイトＨ（１）がゲームサイトであるときは、当該サイトで提供されるゲームで用い得るアイテムを景品Ｇ３とすることができる。
この場合、景品Ｇ３は、クライアントＣ１がホストサイトＨ（１）に保有するアカウントＣ１にクレジットすることにより、当該クライアントＣ１に交付される。
【００２７】
景品Ｇ３が、短い動画や音楽、静止画像、音声、着メロ、掌編小説、ゲーム、カラオケ情報、壁紙などのデータであるときは、それらの情報を当該クライアントＣ１のパソコン又は携帯端末などの端末Ｃ１にダウンロードすることにより景品が交付される。
【００２８】
景品Ｇ３が、例えば、催事のチケット、割引クーポン、商品の試供品などのハードウエアであるときは、当該クライアントＣ１の端末Ｃ１にアプリケーションフォームが表示され、当該クライアントＣ１が所定の事項を入力し、ホストサイトＨ（１）に送信し、リクエストすると、指定された携帯端末に景品引換券などがダウンロードされ、後日その携帯端末画面を提示することにより、コンビニや配送便などで景品Ｇ３を受け取ることができる。
【００２９】
ホストＨは、このシステムの運用益を期待しており、オペレータＯはビジターの増加を望み、景品サプライヤＳは、景品Ｇとして例えば自己又は他者の製品の試供品などを提供し、宣伝を行ない、販路を拡大したり、広告宣伝費を獲得したりしたいと望んでいる。
又、ホストＨ、オペレータＯＱ及び景品サプライヤＳＴが共同して若しくは単独で電子マネーの発行を企画することもある。
【００３０】
ホストＨ又はオペレータＯＱが、景品サプライヤＳＴを兼ね、自ら景品提供を行なうことも考えられる。この場合、当該景品サプライサイトＳＴは、ホストサイトＨ又は当該オペレータサイトＯＱに吸収されることとなる。
【００３１】
このシステムを構築し、運営するため、ホストサイトＨ（１）のＣＰＵには、下記のプログラム、即ち、
１．契約管理プログラム
２．運用管理プログラム
３．課金管理プログラム
がインストールされている。
【００３２】
契約管理プログラムは、レンタル用景品ケースＢＰが、オペレータサイトＯＱにレンタルされるとき起動、実行されるプログラムであって、下記a項ないしｊ項記載のステップ（Ｓ−１）ないし（Ｓ−１０）から成るものである。このフローチャートは図３に示されている。
記
ａ）景品ケース管理メモリＢＭに、レンタル用景品ケースＢＰの識別コードＢＰを入力するステップ（Ｓ−１）。
ｂ）景品ケース管理メモリＢＭに、上記レンタル用景品ケースＢＰの識別コードＢＰに対応させて、オペレータサイトＯＱの識別コードＯＱ及び取引条件を入力するステップ（Ｓ−２）。
ｃ）景品在庫管理メモリＧＭに、上記レンタル用景品ケースＢＰの識別コードＢＰに対応させて、レンタル用景品ケースＢＰに最初に入庫すべき景品ＧＰの品名及び数量並びにその景品のサプライヤＳＰの識別コードＳＰを入力するステップ（Ｓ−３）。
ｄ）景品ケース管理メモリＢＭに、レンタル用景品ケースＢＰに在庫する景品ＧＰの品名別在庫数量を繰り返しチェックする時期Ｔに関する情報を入力するステップ（Ｓ−４）。
ｅ）景品在庫管理メモリＧＭに、レンタル用景品ケースＢＰの在庫量の品名別最低限界数量Ｑｍｉｎを入力するステップ（Ｓ−５）。
ｆ）景品在庫管理メモリＭに、レンタル用景品ケースＢＰの景品在庫中の景品ＢＰがその最低限界数量Ｑｍｉｎ以下となったとき補充すべき景品ＧＰの数量Ｑ＋に関する情報を記録するステップ（Ｓ−６）。
ｇ）上記各項により入力された情報を、所定の景品サプライサイトＳＴにダウンロードするステップ（Ｓ−７）。
ｈ）指定された景品ケースＢＰを表示するアイコンＢＰを指定されたオペレータサイトＯＱのホームページに表示させるため必要な情報を、指定されたオペレータサイトＯＱにダウンロードするステップ（Ｓ−８）。
ｉ）オペレータサイトＯＱにリンクを張るステップ（Ｓ−９）。
ｊ）オペレータサイトＯＱにサーフするためのアイコン情報ＯＱを含む、そのオペレータサイトＯＱへのアクセス勧誘用画像情報ＯＱを入力し、その自己のホームページに、当該画像ＯＱを他のオペレータサイトＯのためのアクセス勧誘用画像情報Ｏに加えて表示するステップ（Ｓ−１０）。
【００３３】
運用管理プログラムは、ホストサイトＨ（１）が、クライアントＣＵからのアクセスを受けたとき起動され実行されるプログラムであって、下記ｋ項ないしｐ項記載のステップ（Ｓ−１１）ないし（Ｓ−１２）から成る。このフローチャートは図４に示されている。
記
ｋ）クライアントＣＵの端末ＣＵのディスプレイＣＵに、オペレータサイトＯへのアクセス勧誘画像情報Ｏに基づいてアクセス勧誘画像Ｏを含む、ホストサイトＨのホームページを表示するステップ（Ｓ−１３）。
ｌ）クライアントＣＵが、表示されたアクセス勧誘画像Ｏ中の、オペレータサイトＯＱのアイコンＯＱを選択したとき、クライアントＣＱの端末ＣＱのディスプレイＣＱに、景品ケースＢＰを表示するアイコンＢＰを含むオペレータサイトＯＱのホームページＯＱを表示するステップ（Ｓ−１４）。  
ｍ）クライアントＣＵが、ホームページＯＱに表示された景品ケースＢＰを表示するアイコンＢＰを選択したとき、景品ケースＢＰに収容された景品ＧＲの情報を端末ＣＵのディスプレイＣＵに開示するステップ（Ｓ−１５）。
ｎ）クライアントＣＵが、開示された景品ＧＲの中から少なくとも一つの景品Ｇｒ（以下、ｒは1以上の正の整数。）を選択したとき、景品Ｇｒに関する情報を、クライアントＣＵの端末ＣＵにダウンロードするステップ（Ｓ−１６）。
ｏ）前項のステップ（Ｓ−１６）でクライアントＣＵに選択された景品Ｇｒの情報を景品在庫管理メモリＧＭの記録から抹消するステップ（Ｓ−１７）。
ｐ）前々項のステップ（Ｓ−１６）でクライアントＣＵに選択された景品Ｇｒの情報を景品出庫管理メモリＣＭのクライアントＣＵの口座ＣＵに記録するステップ（Ｓ−１７）。
【００３４】
課金管理プログラムは、予め定められた締切日が到来する都度起動され実行されるプログラムであって、下記ｑ項及びｒ項に記載のステップ（Ｓ−１８）及び（Ｓ−１９）から成る。このフローチャートは図５に示されている。
記
ｑ）景品出庫管理メモリＣＭに記録されたクライアントＣに対する出庫記録に基づき、クライアントＣごとの請求書を作成、発行するステップ（Ｓ−１８）。
ｒ）クライアントＣから入金があったとき、対応する出庫記録を抹消し、売掛管理メモリに転記するステップ（Ｓ−１９）。
【００３５】
尚、本発明の構成は、叙上の実施例に限定されるものでなく、特に、契約管理プログラム、運用管理プログラム、課金管理プログラムの構成は、これらを統合、一体化したり、又逆に細分化したりでき、その内容についても様々な変更例が容易に案出できるものであり、本発明はそれら総ての変更例を包摂するものである。
【産業上の利用可能性】
【００３６】
本発明は叙上の如く構成されるから、これを実施すれば、各サイトの利用者を増加し、有効利用を図ることができる。
【図面の簡単な説明】
【００３７】
【図１】本発明システムの構成を示す説明図である。
【図２】クライアントＣＵの端末ＣＵの画面変遷を示す説明図である。
【図３】契約管理プログラムを実行するときのフローチャートの一例を示す図である。
【図４】運用管理プログラムを実行するときのフローチャートの一例を示す図である。
【図５】課金管理プログラムを実行するときのフローチャートの一例を示す図である。
【符号の説明】
【００３８】
１  ホストサイトＨ
１−１  レンタル用景品ケースＢ1
１−２  レンタル用景品ケースＢ2
１−３  レンタル用景品ケースＢ3
１−４  レンタル用景品ケースＢ4
１−５  レンタル用景品ケースＢ5
１−６  レンタル用景品ケースＢ6
２  オペレータサイトＯ
２−１  オペレータサイトＯ１
２−２  オペレータサイトＯ２
２−３  オペレータサイトＯ３
２−４  オペレータサイトＯ４
３  景品サプライサイトＳ
３−１  景品サプライサイトＳ１
４  クライアントＣ
４−１  クライアントＣ１の端末Ｃ１
４−２  クライアントＣ２の端末Ｃ２
４−３  クライアントＣ３の端末Ｃ３
４−４  クライアントＣ４の端末Ｃ４
４−５  クライアントＣ５の端末Ｃ５
４−６  クライアントＣ６の端末Ｃ６
４−７  クライアントＣ７の端末Ｃ７
４−８  クライアントＣ８の端末Ｃ８
５  景品Ｇ
５−１  景品Ｇ１
５−２  景品Ｇ２
５−３  景品Ｇ３
５−４  景品Ｇ４
６  インターネット
【図１】
2009093272.tif 000003
【図２】
2009093272.tif 000004
【図３】
2009093272.tif 000005
【図４】
2009093272.tif 000006
【図５】
2009093272.tif 000007